(57)【特許請求の範囲】
【請求項１】
ワイヤレス通信の方法であって、
被害者ユーザ機器（ＵＥ）が隣接基地局からの干渉を経験していると決定することと、
干渉除去を実行するための前記被害者ユーザ機器の能力を決定することと、
前記被害者ユーザ機器の性能を乱す干渉と、干渉除去によって確実に除去されることができない干渉とを備える、前記被害者ユーザ機器によって経験される干渉のレベルに応答して、前記干渉のレベルを調節するようにサービス提供基地局と協調することと
を備え、前記被害者ユーザ機器に干渉除去を実行する能力がある場合、前記サービス提供基地局と前記協調することは、前記被害者ユーザ機器への干渉を増加させることによって、経験される干渉の前記レベルを調節することを備え、干渉除去を実行するための前記被害者ユーザ機器の前記能力は、前記被害者ユーザ機器への干渉の増加に基づいて改善され、 
前記被害者ユーザ機器に前記干渉除去を実行する能力がない場合、前記サービス提供基地局と前記協調することは、前記被害者ユーザ機器への干渉を減少させるように協調することを備え、
前記干渉を増加させることは、前記被害者ユーザ機器へのより高い干渉という結果をもたらすリソースブロックを使用して通信するよう前記被害者ユーザ機器をスケジューリングすることを備える、
方法。
【請求項２】
前記被害者ユーザ機器によって経験される干渉の前記レベルを調節することは、前記隣接基地局と前記サービス提供基地局との間でリソースを再割り当てすることを備える、請求項１に記載の方法。
【請求項３】
前記被害者ユーザ機器への干渉の前記レベルを調節することは、前記干渉を除去するための前記被害者ユーザ機器の前記能力をさらに改善するか、または干渉を減少させるか、のいずれかのために、ビームフォーミングを協調させることを備える、請求項１に記載の方法。
【請求項４】
ビームフォーミングを協調させることは、前記被害者ユーザ機器に干渉除去の能力がある場合、干渉除去を実行するための前記被害者ユーザ機器の前記能力をさらに改善するために、前記被害者ユーザ機器にビームフォーミングすることを備える、請求項３に記載の方法。
【請求項５】
ビームフォーミングを協調させることは、前記被害者ユーザ機器に干渉除去の能力がない場合、前記被害者ユーザ機器から遠ざけるようにビームフォーミングすることを備える、請求項３に記載の方法。
【請求項６】
前記被害者ユーザ機器への干渉の前記レベルを調節することは、前記干渉を除去するための前記被害者ユーザ機器の前記能力をさらに改善するか、または干渉を減少させるか、のいずれかのために、下りリンク通信の電力レベルを調節することを備える、請求項１に記載の方法。
【請求項７】
下りリンク通信の前記電力レベルを調節することは、前記被害者ユーザ機器への干渉を減少させることを備える、請求項６に記載の方法。
【請求項８】
前記電力レベルを調節することは、下りリンク通信の電力を減じることを備える、請求項７に記載の方法。
【請求項９】
前記サービス提供基地局と前記協調することは、動的または半静的に行われる、請求項１に記載の方法。
【請求項１０】
ワイヤレス通信のための装置であって、
被害者ユーザ機器（ＵＥ）が隣接基地局からの干渉を経験していると決定する手段と、
干渉除去を実行するための前記被害者ユーザ機器の能力を決定する手段と、
前記被害者ユーザ機器の性能を乱す干渉と、干渉除去によって確実に除去されることができない干渉とを備える、前記被害者ユーザ機器によって経験される干渉のレベルに応答して、前記干渉のレベルを調節するようにサービス提供基地局と協調する手段と
を備え、前記被害者ユーザ機器に干渉除去を実行する能力がある場合、前記サービス提供基地局と協調することは、前記被害者ユーザ機器への干渉を増加させることによって、経験される干渉の前記レベルを調節することを備え、干渉除去を実行するための前記被害者ユーザ機器の前記能力は、前記被害者ユーザ機器への干渉の増加に基づいて改善され、
前記被害者ユーザ機器に前記干渉除去を実行する能力がない場合、前記サービス提供基地局と協調することは、前記被害者ユーザ機器への干渉を減少させるように協調することを備え、
前記干渉を増加させることは、前記被害者ユーザ機器へのより高い干渉という結果をもたらすリソースブロックを使用して通信するよう前記被害者ユーザ機器をスケジューリングすることを備える、
装置。
【請求項１１】
ワイヤレス通信のための、プログラムコードを記憶するコンピュータ読み取り可能な記憶媒体であって、前記プログラムコードは、
被害者ユーザ機器（ＵＥ）が隣接基地局からの干渉を経験していると決定するためのプログラムコードと、
干渉除去を実行するための前記被害者ユーザ機器の能力を決定するためのプログラムコードと、
前記被害者ユーザ機器の性能を乱す干渉と、干渉除去によって確実に除去されることができない干渉とを備える、前記被害者ユーザ機器によって経験される干渉のレベルに応答して、前記干渉のレベルを調節するようにサービス提供基地局と協調するためのプログラムコードと
を備え、前記被害者ユーザ機器に干渉除去を実行する能力がある場合、前記サービス提供基地局と協調することは、前記被害者ユーザ機器への干渉を増加させることによって、経験される干渉の前記レベルを調節することを備え、干渉除去を実行するための前記被害者ユーザ機器の前記能力は、前記被害者ユーザ機器への干渉の増加に基づいて改善され、
前記被害者ユーザ機器に前記干渉除去を実行する能力がない場合、前記サービス提供基地局と協調することは、前記被害者ユーザ機器への干渉を減少させるように協調することを備え、
前記干渉を増加させることは、前記被害者ユーザ機器へのより高い干渉という結果をもたらすリソースブロックを使用して通信するよう前記被害者ユーザ機器をスケジューリングすることを備える、
コンピュータ読み取り可能な記憶媒体。
【請求項１２】
ワイヤレス通信のための装置であって、
メモリと、
前記メモリに結合された少なくとも１つのプロセッサであって、
被害者ユーザ機器（ＵＥ）が隣接基地局からの干渉を経験していると決定し、
干渉除去を実行するための前記被害者ユーザ機器の能力を決定し、
前記被害者ユーザ機器の性能を乱す干渉と、干渉除去によって確実に除去されることができない干渉とを備える、前記被害者ユーザ機器によって経験される干渉のレベルに応答して、前記干渉のレベルを調節するようにサービス提供基地局と協調する
ように構成された少なくとも１つのプロセッサと
を備え、前記被害者ユーザ機器に干渉除去を実行する能力がある場合、前記サービス提供基地局と協調することは、前記被害者ユーザ機器への干渉を増加させることによって、経験される干渉の前記レベルを調節することを備え、干渉除去を実行するための前記被害者ユーザ機器の前記能力は、前記被害者ユーザ機器への干渉の増加に基づいて改善され、
前記被害者ユーザ機器に前記干渉除去を実行する能力がない場合、前記サービス提供基地局と協調することは、前記被害者ユーザ機器への干渉を減少させるように協調することを備え、
前記干渉を増加させることは、前記被害者ユーザ機器へのより高い干渉という結果をもたらすリソースブロックを使用して通信するよう前記被害者ユーザ機器をスケジューリングすることを備える、
装置。
【請求項１３】
前記少なくとも１つのプロセッサは、前記隣接基地局と前記サービス提供基地局との間でリソースを再割り当てするように構成することによって、前記被害者ユーザ機器によって経験される干渉の前記レベルを調節するように構成される、請求項１２に記載の装置。
【請求項１４】
前記少なくとも１つのプロセッサは、前記干渉を除去するための前記被害者ユーザ機器の前記能力をさらに改善するか、または干渉を減少させるか、のいずれかのために、ビームフォーミングを協調させることによって、前記被害者ユーザ機器への干渉の前記レベルを調節するように構成される、請求項１２に記載の装置。
【請求項１５】
前記少なくとも１つのプロセッサは、前記被害者ユーザ機器に干渉除去の能力がある場合、干渉除去を実行するための前記被害者ユーザ機器の前記能力をさらに改善するために、前記被害者ユーザ機器へのビームフォーミングを協調させるように構成される、請求項１４に記載の装置。
【請求項１６】
前記少なくとも１つのプロセッサは、前記被害者ユーザ機器に干渉除去の能力がない場合、前記被害者ユーザ機器から遠ざけるようにビームフォーミングを協調させるように構成される、請求項１４に記載の装置。
【請求項１７】
前記少なくとも１つのプロセッサは、前記干渉を除去するための前記被害者ユーザ機器の前記能力をさらに改善するか、または干渉を減少させるか、のいずれかのために、下りリンク通信の電力レベルを調節することによって、前記被害者ユーザ機器への干渉の前記レベルを調節するように構成される、請求項１２に記載の装置。
【請求項１８】
前記少なくとも１つのプロセッサは、前記被害者ユーザ機器への干渉を減少させることによって、下りリンク通信の前記電力レベルを調節するように構成される、請求項１７に記載の装置。
【請求項１９】
前記少なくとも１つのプロセッサは、下りリンク通信の電力を減じることによって前記電力レベルを調節するように構成される、請求項１８に記載の装置。
【請求項２０】
前記少なくとも１つのプロセッサは、動的または半静的に前記サービス提供基地局と協調するように構成される、請求項１２に記載の装置。
【発明の詳細な説明】
【関連出願の相互参照】
【０００１】
[0001]  本願は、Ｙｏｏ他の名前で２０１１年８月１７日に出願された米国仮特許出願番号第６１／５２４，７１９号の優先権を主張し、その開示は、その全内容が引用により本明細書に明確に組み込まれる。
【技術分野】
【０００２】
[0002]  本開示の態様は、一般的に、ワイヤレス通信システムに関し、より詳細には、モバイルデバイスによる改善された干渉除去（interference cancellation）のためにネットワークのアクティビティを協調させることに関する。
【背景技術】
【０００３】
[0003]  ワイヤレス通信ネットワークは、音声、映像、パケットデータ、メッセージング、ブロードキャスト、等といったさまざまな通信サービスを提供するために広く展開されている。これらのワイヤレスネットワークは、利用可能なネットワークリソースを共有することによって複数のユーザをサポートできる多元接続ネットワークであり得る。ワイヤレス通信ネットワークは、多数のユーザ機器（ＵＥ）のための通信をサポートできる多数の基地局を含み得る。ＵＥは、下りリンク（downlink）および上りリンク（uplink）を介して基地局と通信し得る。下りリンク（すなわち、フォワードリンク）は、基地局からＵＥへの通信リンクのことを言い、上りリンク（すなわち、リバースリンク）は、ＵＥから基地局への通信リンクのことを言う。
【０００４】
[0004]  基地局は、ＵＥに下りリンクでデータおよび制御情報を送信することができ、および／または、ＵＥから上りリンクでデータおよび制御情報を受信することができる。下りリンクにおいて、基地局からの送信は、隣接基地局からの、または他のワイヤレス無線周波数（ＲＦ）送信機からの送信に起因する干渉に遭遇し得る。上りリンクにおいて、ＵＥからの送信は、他のワイヤレスＲＦ送信機からの、または、隣接基地局と通信する他のＵＥの上りリンク送信からの干渉に遭遇し得る。この干渉は、下りリンクおよび上りリンクの両方でのパフォーマンスを低下させ得る。
【０００５】
[0005]  モバイルブロードバンドアクセスに対する要求が増加し続けるにつれ、より多くのＵＥが長距離ワイヤレス通信ネットワークにアクセスし、より多くの短距離ワイヤレスシステムがコミュニティにおいて展開されるのに伴い、干渉と輻輳したネットワーク（possibilities of interference and congested networks）の可能性が増す。研究および開発は、モバイルブロードバンドアクセスに対する増加する要求を満足するためだけでなく、モバイル通信によるユーザ経験を進歩および向上させるために、ＵＭＴＳテクノロジーを進歩させ続けている。
【発明の概要】
【０００６】
[0006]  ワイヤレス通信ネットワークにおける基地局による通信は、非サービス提供基地局からの干渉を経験するモバイルデバイスによるパフォーマンスを改善するように協調させられることができる。特に、基地局の通信は、モバイルデバイスによる干渉除去のパフォーマンスを改善するように協調させられることができる。干渉を経験するユーザ機器（ＵＥ）に干渉除去の能力がある場合には、基地局は、干渉除去を実行するためのそのＵＥの能力を改善するように、そのユーザ機器への干渉を増加させるように協調することができる。基地局は、干渉除去を実行するためのＵＥの能力に関わらず、ＵＥのための干渉を減じるように協調することもできる。モバイルデバイスのパフォーマンスの改善はまた、非サービス提供基地局によるリソースのスケジューリングを協調させることによって、干渉除去とコンパチブルの通信フォーマットを使用することによって、空間協調（spatial coordination）によって、達成されることもできる。
【０００７】
[0007]  ワイヤレス通信の方法が提供される。この方法は、被害者ユーザ機器（a victim user equipment）（ＵＥ）が隣接基地局からの干渉を経験していると決定することを含む。この方法はまた、干渉除去を実行するための被害者ユーザ機器の能力を決定することを含む。この方法はさらに、被害者ユーザ機器によって経験される干渉のレベルを調節するようにサービス提供基地局と協調することを含む。被害者ユーザ機器に干渉除去の能力がある場合、サービス提供基地局と協調することは、被害者ユーザ機器によって経験される干渉のレベルを調節すること、および／または既知の送信フォーマットを選択することを含む。被害者ユーザ機器に干渉除去の能力がない場合、サービス提供基地局と協調することは、被害者ユーザ機器への干渉を減少させるように協調することを含む。
【０００８】
[0008]  ワイヤレス通信のための装置が提供される。この装置は、被害者ユーザ機器（ＵＥ）が隣接基地局からの干渉を経験していると決定する手段を含む。この装置はまた、干渉除去を実行するための被害者ユーザ機器の能力を決定する手段を含む。この装置はさらに、被害者ユーザ機器によって経験される干渉のレベルを調節するようにサービス提供基地局と協調する手段を含む。被害者ユーザ機器に干渉除去の能力がある場合、サービス提供基地局と協調する手段は、被害者ユーザ機器によって経験される干渉のレベルを調節する手段、および／または既知の送信フォーマットを選択する手段を含む。被害者ユーザ機器に干渉除去の能力がない場合、サービス提供基地局と協調する手段は、被害者ユーザ機器への干渉を減少させるように協調する手段を含む。
【０００９】
[0009]  ワイヤレス通信のためのコンピュータプログラム製品が提供される。このコンピュータプログラム製品は、プログラムコードが記録された非一時的なコンピュータ読み取り可能な媒体を含む。このプログラムコードは、被害者ユーザ機器（ＵＥ）が隣接基地局からの干渉を経験していると決定するためのプログラムコードを含む。このプログラムコードはまた、干渉除去を実行するための被害者ユーザ機器の能力を決定するためのプログラムコードを含む。このプログラムコードはさらに、被害者ユーザ機器によって経験される干渉のレベルを調節するようにサービス提供基地局と協調するためのプログラムコードを含む。被害者ユーザ機器に干渉除去の能力がある場合、サービス提供基地局と協調するためのプログラムコードは、被害者ユーザ機器によって経験される干渉のレベルを調節するためのプログラムコード、および／または既知の送信フォーマットを選択するためのプログラムコードを含む。被害者ユーザ機器に干渉除去の能力がない場合、サービス提供基地局と協調するためのプログラムコードは、被害者ユーザ機器への干渉を減少させるように協調するためのプログラムコードを含む。
【００１０】
[0010]  ワイヤレス通信のための装置が提供される。この装置は、メモリおよびメモリに結合されたプロセッサ（単数または複数）を含む。このプロセッサ（単数または複数）は、被害者ユーザ機器（ＵＥ）が隣接基地局からの干渉を経験していると決定するように構成される。このプロセッサ（単数または複数）はまた、干渉除去を実行するための被害者ユーザ機器の能力を決定するように構成される。このプロセッサ（単数または複数）はさらに、被害者ユーザ機器によって経験される干渉のレベルを調節するようにサービス提供基地局と協調するように構成される。被害者ユーザ機器に干渉除去の能力がある場合、サービス提供基地局と協調するように構成された少なくとも１つのプロセッサは、被害者ユーザ機器によって経験される干渉のレベルを調節するように構成された少なくとも１つのプロセッサ、および／または既知の送信フォーマットを選択するように構成された少なくとも１つのプロセッサを含む。被害者ユーザ機器に干渉除去の能力がない場合、サービス提供基地局と協調するように構成された少なくとも１つのプロセッサは、被害者ユーザ機器への干渉を減少させるように協調するように構成された少なくとも１つのプロセッサを含む。
【００１１】
[0011]  本開示の特徴、本質、および利点は、同一の参照番号が全体を通して同様のものを示す図面とともに考慮されると、以下に述べられる詳細な説明から、より明らかになるだろう。
【図面の簡単な説明】
【００１２】
【図１】図１は、電気通信システムの例を概念的に示すブロック図である。
【図２】図２は、電気通信システムにおける下りリンクフレーム構造の例を概念的に示す図である。
【図３】図３は、上りリンク通信における例示的なフレーム構造を概念的に示すブロック図である。
【図４】図４は、本開示の一態様によって構成された基地局／ｅノードＢおよびＵＥの設計を概念的に示すブロック図である。
【図５】図５は、本開示の一態様に係る異種ネットワークにおける適応的なリソース分割を概念的に示すブロック図である。
【図６Ａ】図６Ａは、本開示の一態様に係るリソース割り当てを示すブロック図である。
【図６Ｂ】図６Ｂは、本開示の一態様に係る送信フォーマットの選択を示すブロック図である。
【図７】図７は、本開示の一態様に係る干渉除去を改善するためのネットワーク協調のための方法を示すブロック図である。
【図８】図８は、本開示の一態様に係る例示的な装置における異なるモジュール／手段／コンポーネント間のデータの流れを示す概念的なデータ流れ図である。
【図９】図９は、本開示の一態様に係る処理システムを用いる装置のためのハードウェア実装の例を示す図である。
【詳細な説明】
【００１３】
[0022]  添付図面に関連して以下に述べられる詳細な説明は、さまざまな構成の説明として意図されたものであり、本明細書において説明される概念が実現され得る唯一の構成を表すことを意図したものではない。詳細な説明は、さまざまな概念の完全な理解を提供する目的で、特定の詳細を含む。しかしながら、これらの概念がこれらの特定の詳細なしに実現され得ることは、当業者にとって明らかであろう。いくつかの例では、そのような概念をあいまいにすることを避けるために、周知の構造およびコンポーネントが、ブロック図の形態で示される。
【００１４】
[0023]  本明細書において説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）のような、さまざまな無線通信ネットワーク、および他のネットワークのために使用されることができる。「ネットワーク」および「システム」という用語は多くの場合、同義で使用される。ＣＤＭＡネットワークは、ユニバーサル地上無線アクセス（ＵＴＲＡ）、米国電気通信工業会（ＴＩＡ）のＣＤＭＡ２０００、等の無線テクノロジーを実現することができる。ＵＴＲＡテクノロジーは、広帯域ＣＤＭＡ（ＷＣＤＭＡ（登録商標））およびＣＤＭＡの他の変形を含む。ＣＤＭＡ２０００テクノロジーは、米国電子工業会（ＥＩＡ）およびＴＩＡからの、ＩＳ−２０００、ＩＳ−９５、およびＩＳ−８５６規格を含む。ＴＤＭＡネットワークは、移動通信のためのグローバルシステム（ＧＳＭ（登録商標））のような無線テクノロジーを実現することができる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等の無線テクノロジーを実現することができる。ＵＴＲＡおよびＥ−ＵＴＲＡテクノロジーは、ユニバーサルモバイル電気通信システム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用するＵＭＴＳの、より新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書において説明されている。ＣＤＭＡ２０００およびＵＭＢは、「第３世代パートナーシッププロジェクト２」（３ＧＰＰ２）と称する組織からの文書において説明されている。本明細書において説明される技法は、上述のワイヤレスネットワークおよび無線接続テクノロジーだけでなく、他のワイヤレスネットワークおよび無線接続テクノロジーにも使用されることができる。明確さのために、本技法のある特定の態様は、以下においてＬＴＥまたはＬＴＥ−Ａ（あるいは、合わせて「ＬＴＥ／−Ａ」と呼ばれる）のために説明され、以下の説明のほとんどにおいて、そのようなＬＴＥ／−Ａの専門用語を使用する。
【００１５】
[0024]  図１は、ワイヤレス通信ネットワーク１００を示し、それは、ＬＴＥ−Ａネットワークであることができ、その中で、干渉除去を改善するためのネットワーク協調が実現されることができる。ワイヤレスネットワーク１００は、多数の発展型ノードＢ（ｅノードＢ）１１０および他のネットワークエンティティを含む。ｅノードＢは、ＵＥと通信する局であり、基地局、ノードＢ、アクセスポイント、等とも呼ばれ得る。各ｅノードＢ１１０は、特定の地理的エリアのための通信カバレッジを提供し得る。３ＧＰＰにおいて、「セル」という用語は、その用語が使用される文脈に依存して、ｅノードＢのこの特定の地理的カバレッジエリア、および／または、同カバレッジエリアにサービス提供するｅノードＢサブシステムを示し得る。
【００１６】
[0025]  ｅノードＢは、マクロセル、ピコセル、フェムトセル、および／または他のタイプのセルのための通信カバレッジを提供し得る。マクロセルは一般的に、相対的に広い地理的エリア（たとえば、半径数キロメートル）をカバーし、ネットワークプロバイダにサービス加入しているＵＥによる制限のないアクセスを可能にし得る。ピコセルは一般的に、相対的により狭い地理的エリアをカバーし、ネットワークプロバイダにサービス加入しているＵＥ（UEs with service subscriptions with the network provider）による制限のないアクセスを可能にし得る。フェムトセルもまた一般的に、相対的に狭い地理的エリア（たとえば、家）をカバーし、制限のないアクセスに加え、フェムトセルとの関連づけを有するＵＥ（たとえば、クローズド・サブスクライバ・グループ（a closed subscriber group）（ＣＳＧ）の中のＵＥ、家の中のユーザのためのＵＥ、等）による制限されたアクセスをも提供し得る。マクロセルのためのｅノードＢは、マクロｅノードＢと呼ばれ得る。ピコセルのためのｅノードＢは、ピコｅノードＢと呼ばれ得る。また、フェムトセルのためのｅノードＢは、フェムトｅノードＢまたはホームｅノードＢと呼ばれ得る。図１に示された例では、ｅノードＢ １１０ａ、１１０ｂ、および１１０ｃはそれぞれ、マクロセル１０２ａ、１０２ｂ、および１０２ｃのためのマクロｅノードＢである。ＵＥ１２０ｘにサービス提供するｅノードＢ １１０ｘは、ピコセル１０２ｘのためのピコｅノードＢである。また、ｅノードＢ１１０ｙおよび１１０ｚはそれぞれ、フェムトセル１０２ｙおよび１０２ｚのためのフェムトｅノードＢである。ｅノードＢは、１または複数（たとえば、２、３、４個、等）のセルをサポートし得る。
【００１７】
[0026]  ワイヤレスネットワーク１００はまた、中継局を含み得る。中継局は、アップストリーム局（たとえば、ｅノードＢ、ＵＥ、等）から、データおよび／または他の情報の送信を受信し、ダウンストリーム局（たとえば、ＵＥまたはｅノードＢ)に、データおよび／または他の情報の送信を送る局である。中継局はまた、他のＵＥのための送信を中継するＵＥであり得る。図１に示された例において、中継局１１０ｒは、ｅノードＢ １１０ａとＵＥ１２０ｒとの間の通信を容易にするために、ｅノードＢ １１０ａおよびＵＥ１２０ｒと通信することができる。中継局はまた、中継ｅノードＢ、中継器、等とも呼ばれ得る。
【００１８】
[0027]  ワイヤレスネットワーク１００は、異なるタイプのｅノードＢ、たとえば、マクロｅノードＢ、ピコｅノードＢ、フェムトｅノードＢ、中継器、等を含む異種ネットワークであることができる。これらの異なるタイプのｅノードＢは、ワイヤレスネットワーク１００において、異なる送信電力レベル、異なるカバレッジエリアを有し、および干渉に異なる影響を与え得る。たとえば、マクロｅノードＢが高い送信電力レベル（たとえば、２０ワット）を有し得るのに対し、ピコｅノードＢ、フェムトｅノードＢ、および中継器は、より低い送信電力レベル（たとえば、１ワット）を有し得る。
【００１９】
[0028]  ワイヤレスネットワーク１００は、同期または非同期動作をサポートし得る。同期動作のために、ｅノードＢは、同様のフレームタイミングを有することができ、異なるｅノードＢからの送信は、時間的にほぼアラインメントされることができる。非同期動作のために、ｅノードＢは、異なるフレームタイミングを有することができ、異なるｅノードＢからの送信は、時間的にアラインメントされないことができる。本明細書において説明される技法は、同期または非同期動作のいずれかのために使用されることができる。
【００２０】
[0029]  一態様では、ワイヤレスネットワーク１００は、周波数分割デュプレクス（ＦＤＤ）または時分割デュプレクス（ＴＤＤ）動作モードをサポートすることができる。本明細書において説明される技法は、ＦＤＤまたはＴＤＤ動作モードのいずれかのために使用されることができる。
【００２１】
[0030]  ネットワークコントローラ１３０は、ｅノードＢ １１０のセットに結合し、これらのｅノードＢ １１０のための協調および制御を提供し得る。ネットワークコントローラ１３０は、バックホールを介してｅノードＢ １１０と通信することができる。ｅノードＢ １１０はまた、たとえば、ワイヤレスバックホールまたは有線バックホールを介して直接的または間接的に、互いに通信することができる。
【００２２】
[0031]  ＵＥ１２０は、ワイヤレスネットワーク１００全体に分散され、各ＵＥは、固定またはモバイルであり得る。ＵＥは、端末、モバイル局、加入者ユニット、局、等と呼ばれることもできる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、等であり得る。ＵＥは、マクロｅノードＢ、ピコｅノードＢ、フェムトｅノードＢ、中継器、等と通信可能であり得る。図１において、両側矢印の実線は、ＵＥとサービス提供ｅノードＢとの間の所望の伝送を示し、サービス提供ｅノードＢは、下りリンクおよび／または上りリンクでＵＥにサービス提供するように指定されたｅノードＢである。両側矢印の破線は、ＵＥとｅノードＢとの間の伝送を干渉することを示す。
【００２３】
[0032]  ＬＴＥは、下りリンクで直交周波数分割多重（ＯＦＤＭ）を、上りリンクでシングルキャリア周波数分割多重（ＳＣ−ＦＤＭ）を、利用する。ＯＦＤＭおよびＳＣ−ＦＤＭは、システム帯域幅を複数（Ｋ）個の直交サブキャリアに分割し、直交サブキャリアは一般的に、トーン、ビン、等とも呼ばれる。各サブキャリアは、データによって変調され得る。一般的に、変調シンボルは、ＯＦＤＭによる周波数領域およびＳＣ−ＦＤＭＡによる時間領域において送信される。隣り合うサブキャリア間の間隔は、固定であることができ、サブキャリアの合計数（Ｋ）は、システム帯域幅に依存し得る。
【００２４】
[0033]  図２は、ＬＴＥにおいて使用される下りリンクＦＤＤフレーム構造を示す。下りリンクのための送信時系列（transmission timeline）は、無線フレームのユニットに分割され得る。各無線フレームは、所定の持続時間（たとえば、１０ミリ秒（ｍｓ））を有することができ、０〜９のインデクスを有する１０個のサブフレームに分割され得る。各サブフレームは、２つのスロットを含み得る。したがって、各無線フレームは、０〜１９のインデクスを有する２０個のスロットを含み得る。各スロットは、Ｌ個のシンボル期間、たとえば、ノーマルなサイクリックプレフィックス（cyclic prefix）のための７つのシンボル期間（図２に示す）、または拡張されたサイクリックプレフィックスのための６つのシンボル期間を含み得る。各サブフレームにおける２Ｌ個のシンボル期間は、０〜２Ｌ−１のインデックスを割り当てられ得る。利用可能な時間周波数リソースは、複数のリソースブロックに分割され得る。各リソースブロックは、１つのスロットにおいて、Ｎ個のサブキャリア（たとえば、１２個のサブキャリア）をカバーし得る。
【００２５】
[0034]  ＬＴＥにおいて、ｅノードＢは、ｅノードＢにおける各セルのために、プライマリ同期信号（a primary synchronization signal）（ＰＳＣまたはＰＳＳ）およびセカンダリ同期信号（a secondary synchronization signal）（ＳＳＣまたはＳＳＳ）を送信し得る。ＦＤＤ動作モードのために、プライマリおよびセカンダリ同期信号はそれぞれ、図２に示すように、ノーマルなサイクリックプレフィックスによる各無線フレームのサブフレーム０および５の各々における、シンボル期間６および５において送信され得る。同期信号は、セルの検出と捕捉のためにＵＥによって使用され得る。ＦＤＤ動作モードのために、ｅノードＢは、サブフレーム０のスロット１におけるシンボル期間０〜３において、物理ブロードキャストチャネル（a Physical Broadcast Channel）（ＰＢＣＨ）を送信し得る。ＰＢＣＨは、ある特定のシステム情報を搬送し得る。
【００２６】
[0035]  ｅノードＢは、図２からわかるように、各サブフレームの最初のシンボル期間において物理制御フォーマットインジケータチャネル（a Physical Control Format Indicator Channel）（ＰＣＦＩＣＨ）を送信し得る。ＰＣＦＩＣＨは、制御チャネルのために使用されるシンボル期間の数（Ｍ）を伝達することができ、Ｍは、１、２、または３に等しく、サブフレーム毎に変わり得る。Ｍはまた、たとえば、１０個未満のリソースブロックを有する狭いシステム帯域幅のために、４に等しいこともできる。図２に示す例では、Ｍ＝３である。ｅノードＢは、各サブフレームの最初のＭ個のシンボル期間において、物理ＨＡＲＱインジケータチャネル（a Physical HARQ Indicator Channel）（ＰＨＩＣＨ）および物理下りリンク制御チャネル（a Physical Downlink Control Channel）（ＰＤＣＣＨ）を送信し得る。ＰＤＣＣＨおよびＰＨＩＣＨはまた、図２に示す例では、最初の３つのシンボル期間に含まれる。ＰＨＩＣＨは、ハイブリッド自動再送（hybrid automatic retransmission）（ＨＡＲＱ）をサポートするための情報を搬送し得る。ＰＤＣＣＨは、ＵＥのための上りリンクおよび下りリンクのリソース割り当てに関する情報、および上りリンクチャネルのための電力制御情報を搬送し得る。ｅノードＢは、各サブフレームの残りのシンボル期間において、物理下りリンク共有チャネル（a Physical Downlink Shared Channel）（ＰＤＳＣＨ）を送信し得る。ＰＤＳＣＨは、下りリンクでのデータ送信のためにスケジュールされたＵＥのためのデータを搬送し得る。
【００２７】
[0036]  ｅノードＢは、ｅノードＢによって使用されるシステム帯域幅の中心である１．０８ＭＨｚにおいて、ＰＳＣ、ＳＳＣ、およびＰＢＣＨを送信し得る。ｅノードＢは、これらのチャネルが送信される各シンボル期間において、システム帯域幅全体にわたり、ＰＣＦＩＣＨおよびＰＨＩＣＨを送信し得る。ｅノードＢは、システム帯域幅のある特定の部分においてＵＥのグループにＰＤＣＣＨを送信し得る。ｅノードＢは、システム帯域幅の特定の部分においてＵＥのグループにＰＤＳＣＨを送信し得る。ｅノードＢは、すべてのＵＥに対しブロードキャストによってＰＳＣ、ＳＳＣ、ＰＢＣＨ、ＰＣＦＩＣＨ、およびＰＨＩＣＨを送信することができ、特定のＵＥに対しユニキャストによってＰＤＣＣＨを送信することができ、特定のＵＥに対しユニキャストによってＰＤＳＣＨを送信することもできる。
【００２８】
[0037]  多数のリソースエレメントが各シンボル期間において利用可能であり得る。各リソースエレメントは、１つのシンボル期間において１つのサブキャリアをカバーすることができ、１つの変調シンボルを送信するために使用されることができ、変調シンボルは、実数値または複素数値であることができる。制御チャネルに使用されるシンボルのために、各シンボル期間におけるレファレンスシグナルに使用されないリソースエレメントが、リソースエレメントグループ（resource element groups）（ＲＥＧ）に入れられ得る。各ＲＥＧは、１つのシンボル期間における４つのリソース要素を含み得る。
【００２９】
[0038]  ＵＥは、ＰＨＩＣＨおよびＰＣＦＩＣＨのために使用される特定のＲＥＧを知っていることができる。ＵＥは、ＰＤＣＣＨについて、ＲＥＧの異なる組み合わせを探索することができる。探索する組み合わせの数は典型的に、ＰＤＣＣＨにおけるすべてのＵＥのための許容される組み合わせの数より少ない。ｅノードＢは、ＵＥが探索するであろう組み合わせのうちのいずれかにおいてＵＥにＰＤＣＣＨを送信し得る。
【００３０】
[0039]  ＵＥは、複数のｅノードＢのカバレッジ内にあり得る。これらのｅノードＢのうちの１つが、ＵＥにサービス提供するために選択され得る。サービス提供ｅノードＢは、受信電力、パスロス（path loss）、信号対雑音比（ＳＮＲ）、等といったさまざまな判定基準に基づいて選択され得る。
【００３１】
[0040]  図３は、上りリンクのロングタームエボリューション（ＬＴＥ）通信における例示的なＦＤＤおよびＴＤＤ（特別でないサブフレームのみ）のサブフレーム構造を概念的に示すブロック図である。上りリンクのために利用可能な複数のリソースブロック（resource blocks）（ＲＢ）は、データセクションおよび制御セクションに分割され得る。制御セクションは、システム帯域幅の両端に形成されることができ、設定可能なサイズを有することができる。制御セクション内のリソースブロックは、制御情報の送信のためにＵＥに割り当てられることができる。データセクションは、制御セクションに含まれないすべてのリソースブロックを含むことができる。図３における設計は、連続するサブキャリアを含むデータセクションという結果をもたらし、それは、単一のＵＥにデータセクション内の連続するサブキャリアのすべてが割り当てられることを可能にし得る。
【００３２】
[0041]  ＵＥは、ｅノードＢに制御情報を送信するために、制御セクション内のリソースブロックを割り当てられ得る。ＵＥはまた、ｅノードＢにデータを送信するために、データセクション内のリソースブロックを割り当てられ得る。ＵＥは、制御セクション内の割り当てられたリソースブロック上の物理上りリンク制御チャネル（a Physical Uplink Control Channel）（ＰＵＣＣＨ）において制御情報を送信し得る。ＵＥは、データセクション内の割り当てられたリソースブロック上の物理上りリンク共有チャネル（a Physical Uplink Shared Channel）（ＰＵＳＣＨ）において、データのみ、またはデータと制御情報の両方を送信し得る。上りリンク送信は、図３に示すように、サブフレームの両方のスロットにわたることができ、周波数にわたってホッピングすることができる。一態様によると、緩和されたシングルキャリア動作（relaxed single carrier operation）では、パラレルなチャネルがＵＬリソース上で送信され得る。たとえば、制御およびデータチャネル、パラレル制御チャネル、およびパラレルデータチャネルが、ＵＥによって送信され得る。
【００３３】
[0042]  図４は、基地局／ｅノードＢ１１０およびＵＥ１２０の設計のブロック図を示し、これらは、図１における基地局／ｅノードＢのうちの１つ、およびＵＥのうちの１つであり得る。基地局１１０は、図１におけるマクロｅノードＢ１１０ｃであることができ、ＵＥ１２０は、ＵＥ１２０ｙであることができる。基地局１１０はまた、何らかの他のタイプの基地局であることができる。基地局１１０は、アンテナ４３４ａ〜４３４ｔを備えることができ、ＵＥ１２０は、アンテナ４５２ａ〜４５２ｒを備えることができる。
【００３４】
[0043]  基地局１１０において、送信プロセッサ４２０は、データソース４１２からデータを、およびコントローラ／プロセッサ４４０から制御情報を、受け取ることができる。この制御情報は、ＰＢＣＨ、ＰＣＦＩＣＨ、ＰＨＩＣＨ、ＰＤＣＣＨ、等のためのものであり得る。このデータは、ＰＤＳＣＨ、等のためのものであり得る。プロセッサ４２０は、データおよび制御情報を処理（たとえば、符号化およびシンボルマッピング）して、それぞれ、データシンボルおよび制御シンボルを得ることができる。プロセッサ４２０はまた、たとえば、ＰＳＳ、ＳＳＳのためのレファレンスシンボル、およびセルに固有のレファレンスシグナル（cell-specific reference signal）を生成し得る。送信（ＴＸ）多入力多出力（ＭＩＭＯ）プロセッサ４３０は、適用可能な場合、データシンボル、制御シンボル、および／またはレファレンスシンボルに空間処理（たとえば、プリコーディング）を実行することができ、出力シンボルストリームを変調器（ＭＯＤ）４３２ａ〜４３２ｔに供給し得る。各変調器４３２は、（たとえば、ＯＦＤＭ、等のために）それぞれの出力シンボルストリームを処理して、出力サンプルストリームを得ることができる。各変調器４３２はさらに、出力サンプルストリームを処理（たとえば、アナログ変換、増幅、フィルタリング、およびアップコンバート）して、下りリンク信号を得ることができる。変調器４３２ａ〜４３２ｔからの下りリンク信号は、それぞれ、アンテナ４３４ａ〜４３４ｔを介して送信され得る。
【００３５】
[0044]  ＵＥ１２０において、アンテナ４５２ａ〜４５２ｒは、基地局１１０から下りリンク信号を受信することができ、受信された信号を、それぞれ、復調器（ＤＥＭＯＤ）４５４ａ〜４５４ｒに供給し得る。各復調器４５４は、受信されたそれぞれの信号を調整（たとえば、フィルタリング、増幅、ダウンコンバート、およびデジタル化）して、入力サンプルを得ることができる。各復調器４５４はさらに、（たとえば、ＯＦＤＭ、等のために）入力サンプルを処理して、受信シンボルを得ることができる。ＭＩＭＯ検出器４５６は、すべての復調器４５４ａ〜４５４ｒから受信シンボルを得て、適用可能な場合、受信シンボルに対してＭＩＭＯ検出を実行し、検出されたシンボルを供給し得る。受信プロセッサ４５８は、検出されたシンボルを処理（たとえば、復調、デインタリーブ、復号）し、データシンク４６０にＵＥ１２０のための復号されたデータを供給し、コントローラ／プロセッサ４８０に復号された制御情報を供給し得る。
【００３６】
[0045]  上りリンクでは、ＵＥ１２０において、送信プロセッサ４６４は、データソース４６２から（たとえば、ＰＵＳＣＨのための）データを、およびコントローラ／プロセッサ４８０から（たとえばＰＵＣＣＨのための）制御情報を、受け取って処理することができる。プロセッサ４６４はまた、レファレンスシグナルのためのレファレンスシンボルを生成し得る。送信プロセッサ４６４からのシンボルは、適用可能な場合、ＴＸ ＭＩＭＯプロセッサ４６６によってプリコーディングされ、（たとえば、ＳＣ−ＦＤＭ、等のために）変調器４５４ａ〜４５４ｒによってさらに処理され、基地局１１０に送信され得る。基地局１１０において、ＵＥ１２０からの上りリンク信号が、アンテナ４３４によって受信され、復調器４３２によって処理され、適用可能な場合にはＭＩＭＯ検出器４３６によって検出され、受信プロセッサ４３８によってさらに処理されて、ＵＥ１２０によって送信された、復号されたデータおよび制御情報が得られうる。プロセッサ４３８は、データシンク４３９に復号されたデータを供給し、コントローラ／プロセッサ４４０に復号された制御情報を供給し得る。基地局１１０は、たとえば、Ｘ２インターフェース４４１によって他の基地局にメッセージを送信することができる。
【００３７】
[0046]  コントローラ／プロセッサ４４０および４８０は、それぞれ、基地局１１０およびＵＥ１２０における動作を指示し得る。プロセッサ４４０および／または基地局１１０における他のプロセッサおよびモジュールは、本明細書において説明される技法のためのさまざまな処理の実行を遂行または指示し得る。プロセッサ４８０および／またはＵＥ１２０における他のプロセッサおよびモジュールはまた、方法のフローチャート図６〜７を用いて示した機能ブロック、および／または本明細書において説明される技法のための他の処理の実行を遂行または指示し得る。メモリ４４２および４８２は、それぞれ、基地局１１０およびＵＥ１２０のためのデータおよびプログラムコードを記憶し得る。スケジューラ４４４は、下りリンクおよび／または上りリンクでのデータ伝送のためにＵＥをスケジューリングし得る。
【００３８】
異種ネットワーク（HETEROGENEOUS NETWORKS）
[0047]  ワイヤレスネットワークは、異なる電力クラスのｅノードＢを有し得る。たとえば、３つの電力クラスは、降順の電力クラスで、マクロｅノードＢ、ピコｅノードＢ、フェムトｅノードＢとして定義され得る。そのような異なる電力クラスのｅノードＢを特徴とするネットワークは、異種ネットワークと呼ばれることができる。マクロｅノードＢ、ピコｅノードＢ、およびフェムトｅノードＢが同一チャネル展開されて（in a co-channel deployment）いる場合、マクロｅノードＢ（攻撃者ｅノードＢ（aggressor eNodeB））の電力スペクトル密度（power spectral density）（ＰＳＤ）は、ピコｅノードＢおよびフェムトｅノードＢ（被害者ｅノードＢ（victim eNodeBs））のＰＳＤよりも大きく、ピコｅノードＢおよびフェムトｅノードＢに対する大量の干渉を生み出し得る。保護されたサブフレームが、ピコｅノードＢおよびフェムトｅノードＢに対する干渉を低減または最小化するために使用され得る。すなわち、保護されたサブフレームが、攻撃者ｅノードＢに対する禁止されたサブフレームに対応するように、被害者ｅノードＢのためにスケジューリングされ得る。
【００３９】
[0048]  図１を再び参照すると、異種ワイヤレスネットワーク１００は、単位エリア毎のシステムのスペクトル効率を改善するために、ｅノードＢ１１０の多様なセット（すなわち、マクロｅノードＢ、ピコｅノードＢ、フェムトｅノードＢ、および中継器）を使用する。マクロｅノードＢ１１０ａ〜ｃは普通、ワイヤレスネットワーク１００のプロバイダによって慎重に計画され、設置される。マクロｅノードＢ１１０ａ〜ｃは一般的に、高い電力レベル（たとえば、５Ｗ〜４０Ｗ）で送信する。ピコｅノードＢ１１０ｘおよび中継器１１０ｒは、一般的に大幅により低い電力レベル（たとえば、１００ｍＷ〜２Ｗ）で送信するが、マクロｅノードＢ１１０ａ〜ｃによって提供されるカバレッジエリアにおけるカバレッジホールを解消し、ホットスポットにおける容量を改善するために、相対的に無計画な手法で展開され得る。フェムトｅノードＢ１１０ｙ〜ｚは、典型的にはワイヤレスネットワーク１００とは無関係に展開されるが、それにもかかわらず、それらの管理者（単数または複数）によって権限を付与された場合にはワイヤレスネットワーク１００への潜在的なアクセスポイントとして、または、少なくともリソースの協調および干渉管理の協調を実行するためにワイヤレスネットワーク１００の他のｅノードＢ１１０と通信し得るアクティブでアウェアな（active and aware）ｅノードＢとして、のいずれかで、ワイヤレスネットワーク１００のカバレッジエリアに組み込まれ得る。フェムトｅノードＢ１１０ｙ〜ｚもまた典型的に、マクロｅノードＢ１１０ａ〜ｃよりも大幅に低い電力レベル（たとえば、１００ｍＷ〜２Ｗ）で送信する。
【００４０】
[0049]  ワイヤレスネットワーク１００のような異種ネットワークの動作において、各ＵＥは普通、より良好な信号品質を有するｅノードＢ１００によってサービス提供されるが、その一方で、他のｅノードＢ１１０から受信される所望されない信号は、干渉として扱われる。そのような動作原理が最適状態には到底及ばないパフォーマンス（significantly sub-optimal performance）をもたらし得る一方で、ネットワークのパフォーマンスの向上（gains in network performance）が、ｅノードＢ１１０間のインテリジェントなリソース協調、より良好なサーバ選択ストラテジ、および効率的な干渉管理のためのより進歩した技法を使用することによって、ワイヤレスネットワーク１００において実現される。
【００４１】
[0050]  ピコｅノードＢ、たとえば、ピコｅノードＢ １１０ｘは、マクロｅノードＢ、たとえば、マクロｅノードＢ１１０ａ〜ｃと比較すると、大幅により低い送信電力によって特徴づけられる。ピコｅノードＢはまた、普通、アドホック方式で、ワイヤレスネットワーク１００のようなネットワークの方々に設置されるだろう。この無計画な展開のせいで、ワイヤレスネットワーク１００のようなピコｅノードＢの設置を有するワイヤレスネットワークは、干渉状況への低い信号を伴う広いエリアを有することが予期され、それは、カバレッジエリアまたはセルのエッジにおけるＵＥ（「セルエッジ」ＵＥ）への制御チャネル送信のためのよりチャレンジングなＲＦ環境を助長し得る。さらに、マクロｅノードＢ１１０ａ〜ＣとピコｅノードＢ １１０ｘの送信電力レベル間の潜在的に大きな不均衡（たとえば、約２０ｄＢ）は、混合した展開では、ピコｅノードＢ １１０ｘの下りリンクのカバレッジエリアが、マクロｅノードＢ １１０ａ〜ｃの下りリンクのカバレッジエリアよりもはるかに小さくなるであろうことを暗に意味する。
【００４２】
[0051]  しかしながら、上りリンクのケースでは、上りリンク信号の信号強度は、ＵＥによって左右されるので、どのタイプのｅノードＢ １１０によって受信された場合にも同様であるだろう。ｅノードＢ １１０のための上りリンクのカバレッジエリアはほぼ同一または同様であるので、上りリンクのハンドオフ境界は、チャネル利得に基づいて決定されるだろう。これは、下りリンクのハンドオーバー境界と上りリンクのハンドオーバー境界との間の不一致をもたらし得る。追加のネットワークによる助けがなければ、この不一致は、下りリンクと上りリンクのハンドオーバー境界がより緊密に一致しているマクロｅノードＢのみの同種ネットワークにおけるよりも、ワイヤレスネットワーク１００において、サーバの選択またはＵＥのｅノードＢへの関連づけをより困難にするだろう。
【００４３】
適応的なリソース分割
[0052]  たとえば、サブフレームは、３つのクラスのサブフレーム、すなわち、保護されたサブフレーム（Ｕサブフレーム）、禁止されたサブフレーム（Ｎサブフレーム）、および共通サブフレーム（Ｃサブフレーム）間で、割り当てられ得る。保護されたサブフレームは、第１のｅノードＢによる排他的な使用のために第１のｅノードＢに割り当てられる。保護されたサブフレームはまた、隣接するｅノードＢからの干渉がないことに基づいて、「クリーンな」サブフレームとも呼ばれ得る。禁止されたサブフレームは、隣接ｅノードＢに割り当てられたサブフレームであり、第１のｅノードＢは禁止されたサブフレーム中、データを送信することを禁止される。たとえば、第１のｅノードＢの禁止されたサブフレームは、干渉する第２のｅノードＢの保護されたサブフレームに対応し得る。したがって、第１のｅノードＢは、第１のｅノードＢの保護されたサブフレーム中にデータを送信する唯一のｅノードＢである。共通サブフレームは、複数のｅノードＢによるデータ送信のために使用され得る。共通サブフレームはまた、他のｅノードＢからの干渉の可能性ゆえに、「クリーンでない」サブフレームとも呼ばれ得る。
【００４４】
[0053]  少なくとも１つの保護されたサブフレームが、期間毎に静的に割り当てられる。いくつかのケースでは、保護されたサブフレームが１つだけ静的に割り当てられる。たとえば、期間が８ミリ秒である場合、１つの保護されたサブフレームが、毎８ミリ秒中にｅノードＢに静的に割り当てられ得る。他のサブフレームは、動的に割り当てられ得る。
【００４５】
[0054]  適応的なリソース分割情報（Adaptive resource partitioning information）（ＡＲＰＩ）は、静的に割り当てられないサブフレームの動的な割り当てを可能にする。保護された、禁止された、または共通サブフレームのいずれかが、動的に割り当てられ得る（それぞれ、ＡＵ、ＡＮ、ＡＣサブフレーム）。動的な割り当ては、急速に、たとえば、毎１００ミリ秒以下で変化し得る。
【００４６】
[0055]  図５は、本開示の一態様に係る異種ネットワークにおけるＴＤＭ分割を示すブロック図である。１行目のブロックは、フェムトｅノードＢのためのサブフレームの割り当てを示し、２行目のブロックは、マクロｅノードＢのためのサブフレームの割り当てを示す。ｅノードＢの各々は、他のｅノードが禁止された静的なサブフレームを有する最中、保護された静的なサブフレームを有する。たとえば、フェムトｅノードＢは、サブフレーム０における禁止されたサブフレーム（Ｎサブフレーム）に対応する、サブフレーム０における保護されたサブフレーム（Ｕサブフレーム）を有する。同様に、マクロｅノードＢは、サブフレーム７における禁止されたサブフレーム（Ｎサブフレーム）に対応する、サブフレーム７における保護されたサブフレーム（Ｕサブフレーム）を有する。サブフレーム１〜６は、保護されたサブフレーム（ＡＵ）、禁止されたサブフレーム（ＡＮ）、および共通サブフレーム（ＡＣ）のいずれかとして、動的に割り当てられる。動的に割り当てられるサブフレーム（ＡＵ／ＡＮ／ＡＣ）は、本明細書において「Ｘ」サブフレームと総称される。サブフレーム５および６における動的に割り当てられる共通サブフレーム（ＡＣ）中、フェムトｅノードＢとマクロｅノードＢはどちらもデータを送信することができる。
【００４７】
[0056]  保護されたサブフレーム（たとえば、Ｕ／ＡＵサブフレーム）は、攻撃者ｅノードＢが送信を禁止されるので、減じられた干渉と高いチャネル品質を有する。禁止されたサブフレーム（たとえば、Ｎ／ＡＮサブフレーム）は、低い干渉レベルでのデータの送信を被害者ｅノードＢに可能にさせるために、データ送信を有しない。共通サブフレーム（たとえば、Ｃ／ＡＣサブフレーム）は、データを送信する隣接ｅノードＢの数に依存したチャネル品質を有する。たとえば、隣接ｅノードＢが共通サブフレームでデータを送信している場合、その共通サブフレームのチャネル品質は、保護されたサブフレームよりも低いものであり得る。共通サブフレームでのチャネル品質はまた、攻撃者ｅノードＢによって強く影響を受ける拡張された境界エリア（ＥＢＡ）のＵＥについて、より低いものであり得る。ＥＢＡ ＵＥは、第１のｅノードＢに属し得るが、第２のｅノードＢのカバレッジエリア内にも位置し得る。たとえば、フェムトｅノードＢのカバレッジの範囲限界の近くの、マクロｅノードＢと通信するＵＥは、ＥＢＡ ＵＥである。
【００４８】
[0057]  ＬＴＥ／−Ａにおいて用いられ得る例示的な別の干渉管理スキームは、低速での適応的な干渉管理である。干渉管理に対するこのアプローチを使用すると、リソースは、スケジューリング間隔よりもはるかに長い時間スケールにわたって、交渉され、割り当てられる。このスキームの目的は、ネットワークのトータルの有用性を最大化する、時間または周波数リソースのすべてにわたる、送信するｅノードＢとＵＥのすべてのための、送信電力の組み合わせを見つけることである。「有用性」は、ユーザのデータレート、サービス品質（ＱｏＳ）フローの遅延、および公平性のメトリックの関数として定義され得る。そのようなアルゴリズムは、最適化を解決するために使用される全情報へのアクセスを有し、全送信エンティティに対する制御を有する、集中エンティティ（a central entity）、たとえば、ネットワークコントローラ１３０（図１）によって計算され得る。この集中エンティティは、常に実用的であるわけではなく、それどころか所望されないことさえある。したがって、代替の態様では、ある特定のノードのセットからのチャネル情報に基づいてリソースの使用の決定を行う分散アルゴリズムが使用され得る。したがって、低速での適応的な干渉アルゴリズムは、集中エンティティを使用して、または、ネットワークにおけるノード／エンティティのさまざまなセットにわたりアルゴリズムを分散させることによって、のいずれかで、展開され得る。
【００４９】
[0058]  ワイヤレスネットワーク１００のような異種ネットワークの展開では、ＵＥは、ＵＥが１つ以上の干渉するｅノードＢからの高い干渉を観察し得る支配的な干渉のシナリオ（a dominant interference scenario）において動作し得る。支配的な干渉のシナリオは、制限された関連づけによって生じ得る。たとえば、図１において、ＵＥ １２０ｙは、フェムトｅノードＢ １１０ｙの近くにあり、そのｅノードＢ １１０ｙに関し高い受信電力を有し得る。しかしながら、ＵＥ １２０ｙは、制限された関連づけゆえにフェムトｅノードＢ １１０ｙにアクセス不可能であり得て、（図１に示すごとく）マクロｅノードＢ １１０ｃに接続し得るか、または、（図１に示していないが）より低い受信電力でまたフェムトｅノードＢ １１０ｚに接続し得る。すると、ＵＥ１２０ｙは、下りリンクではフェムトｅノードＢ １１０ｙからの高い干渉を観察し、また、上りリンクではｅノードＢ １１０ｙに対し高い干渉をもたらし得る。協調干渉管理を使用して、ｅノードＢ １１０ＣおよびフェムトｅノードＢ １１０ｙは、リソースを交渉するためにバックホールによって通信し得る。この交渉において、フェムトｅノードＢ １１０ｙは、そのチャネルリソースのうちの１つでの送信を停止することに同意するので、ＵＥ １２０ｙは、それがその同一のチャネルによってｅノードＢ １１０ｃと通信する場合ほど多くの、フェムトｅノードＢ １１０ｙからの干渉は経験しないだろう。
【００５０】
[0059]  そのような支配的な干渉のシナリオにおいてＵＥで観察される信号電力の矛盾に加え、下りリンク信号のタイミング遅延もまた、同期システムにおいてさえ、ＵＥと複数のｅノードＢとの間の異なる距離ゆえに、ＵＥにより観察され得る。同期システムにおけるｅノードＢは、システムにわたり仮定に基づいて同期される。しかしながら、たとえば、マクロｅノードＢから５ｋｍの距離にあるＵＥを考慮すると、そのマクロｅノードＢから受信される任意の下りリンク信号の伝搬遅延は、約１６．６７μｓ（５ｋｍ÷３×１０８、すなわち、光速、「ｃ」）だけ遅延するだろう。マクロｅノードＢからのその下りリンク信号を、はるかにより近いフェムトｅノードＢからの下りリンク信号と比較すると、タイミングの差は、時間トラッキングループ（a time tracking loop）（ＴＴＬ）誤りのレベルに近づき得る。
【００５１】
[0060]  さらに、そのようなタイミングの差は、ＵＥにおける干渉除去に影響し得る。干渉除去は多くの場合、同一の信号の複数のバージョンの組み合わせ間の相互相関特性を使用する。同一の信号の複数のコピーを組み合わせることにより、干渉はより容易に識別され得る。これは、おそらく信号の各コピーに干渉が存在するが、おそらくそれは同一の位置におけるものではないからである。組み合わせられた信号の相互相関を使用して、実際の信号部分が、決定され、干渉と区別され得るので、干渉の除去を可能にする。
【００５２】
ネットワーク協調干渉除去
[0061]  複数の基地局（ｅノードＢ）およびモバイル端末（ＵＥ）を有するセルラーシステムでは、チャネルは典型的に干渉制限される。干渉を許容可能なレベルまで減じるために、さまざまな手法が用いられ、または考慮され得る。そのような技法は、基地局がアプリケーション空間領域、電力制御、干渉除去、およびリソース分割技法において協働する、協調マルチポイント（coordinated multipoint）（ＣｏＭＰ）通信を含み得る。リソース分割のために、リソースは、周波数、時間、または符号によって分割されることができ、分割は、静的または動的であることができる。特定のリソース分割スキームは、周波数の再利用と、マクロ、ピコ、およびフェムトセル間の異種ネットワークにおける時間領域の分割（静的、半静的（semi-static）、または動的のいずれかである）と、および干渉を回避するためのｅノードＢ間シグナリングを介したスケジューラの協調とを含む。
【００５３】
[0062]  上記技法の中で、リソース分割および電力制御は、干渉を低減または回避するために意図される。協調ビームフォーミング（coordinated beamforming）（ＣＢＦ）のようないくつかの協調マルチポイント（ＣｏＭＰ）スキームもまた、干渉を低減または回避するために意図される一方で、ジョイント送信（joint transmission）（ＪＴ）のようなより洗練された協調マルチポイント（ＣｏＭＰ）スキームが、干渉信号の影響を低減または除去するために意図される。
【００５４】
[0063]  リソース分割、電力制御、および協調マルチポイントが、ｅノードＢの振る舞いにフォーカスした干渉緩和スキームである一方で、干渉除去は、ＵＥが、干渉によって劣化した信号を受信し、干渉信号を能動的に検出および復号して、それらを除去し、所望の信号を分離する、ＵＥの振る舞いにフォーカスした干渉緩和スキームである。
【００５５】
[0064]  干渉除去の１つの利点は、利用可能な時間／周波数／空間次元が干渉を減じるために犠牲にされ得る干渉回避スキームとは違って、干渉除去は、リソースのそのような損失を招かないことである。たとえば、適応的なリソース分割に関連して上述したように、マクロ（攻撃者）およびピコ（被害者）セル間の時間領域のリソース分割では、攻撃者は、被害者ＵＥへの干渉を回避するために、ある特定のサブフレーム（「Ｎ」または「ＡＮ」サブフレーム）で、それら自身を沈黙させることを余儀なくされ得る。このシナリオにおいて、被害者ＵＥに対する攻撃者による干渉の解消は、マクロＵＥをスケジューリングするために利用可能な時間リソース（たとえば、サブフレーム）を犠牲にすることによって達成される。一方、干渉除去に基づいたアプローチでは、攻撃者は、攻撃者の干渉信号が被害者ＵＥによって低減または除去されるので、それらのサブフレームでも信号を送信することができる。したがって、干渉除去技法は、そうでなければ干渉回避スキームによって浪費され得る損失リソース（たとえば、「Ｎ」または「ＡＮ」サブフレーム）を取り戻すことができる。上記技法を使用すると、時間／周波数／空間領域のリソース（たとえば、ＡＵ／ＡＮサブフレーム）は、干渉除去を実行する能力があるかまたは弱い干渉を経験するＵＥのために利用可能な共通／共有使用リソース（たとえば、Ｃ／ＡＣサブフレーム）へと変換されることができる。
【００５６】
[0065]  ２種類の干渉除去は、コードワードレベル干渉除去（codeword level interference cancellation）（ＣＷＩＣ）およびシンボルレベル干渉除去（symbol level interference cancellation）（ＳＬＩＣ）である。コードワードレベル干渉除去では、ＵＥは、受信された干渉信号から干渉データを復号し、受信された信号全体からその干渉データを除去する。ＬＴＥでは、物理下りリンク共有チャネル（Physical Downlink Shared Channel）（ＰＤＳＣＨ）においてコードワードレベル干渉除去を適用するために、ＵＥは、変調およびコーディングフォーマット（modulation and coding format）（ＭＣＳ）、リソース割り当て、空間スキーム（spatial scheme）、冗長バージョン（redundancy version）、およびトラヒック対パイロット比（traffic-to-pilot ratio）（ＴＰＲ）を知っているか、または決定しなくてはならない。これは本質的に、ＵＥが、干渉ＰＤＳＣＨに関連づけられた物理下りリンク制御チャネル（Physical Downlink Control Channel）（ＰＤＣＣＨ）を復号するか、そのような情報を別の手法で得るか、のいずれかをする必要があることを意味する。
【００５７】
[0066]  シンボルレベル干渉除去では、ＵＥは、受信された干渉信号から干渉する変調シンボルを検出し、受信された信号全体から干渉する変調シンボルを除去する。ＬＴＥでは、ＰＤＳＣＨにおいてシンボルレベル干渉除去を適用するために、ＵＥは、変調フォーマット（コーディングフォーマットは必ずしもではない）、リソース割り当て、および空間スキーム、およびトラヒック対パイロット比（ＴＰＲ）を知っているか、または決定しなくてはならない。これらは、ブラインド検出された干渉ＰＤＳＣＨに関連づけられたＰＤＣＣＨを復号することによって提供され得るか、または、別の手法によってＵＥにより得られ得る。シンボルレベル干渉除去は、コードワードレベル干渉除去よりも少ない知識を必要とし、より容易に実現されるが、一般的に、より良好なパフォーマンスは、コードワードレベル干渉除去を使用して達成される。
【００５８】
[0067]  干渉除去しようとするＵＥの試みは、常に成功するわけではない。干渉除去の成功は、干渉の強さを含む多数のファクターに依存する。干渉が強ければ強いほど、干渉除去からの結果はより良好になる。また、ある特定の変調およびコーディングフォーマットは、干渉除去による改善された結果を提供する。たとえば、４相位相シフト・キーイング（a quadrature phase-shifted keying）（ＱＰＳＫ）による変調シンボルは、６４直交振幅変調（６４−ＱＡＭ）による変調シンボルよりも容易に検出および除去される。
【００５９】
[0068]  干渉除去は従来、ＵＥ中心のソリューションであるが、本明細書に開示されるさまざまな態様は、ワイヤレス通信のネットワーク側での（たとえば、ｅノードＢでの）信号の協調によって干渉除去パフォーマンスを改善する。そのようなネットワーク協調は、ＵＥにおける干渉除去のパフォーマンスを改善することができるので、システム全体のパフォーマンスを改善する。
【００６０】
[0069]  本開示の一態様において、ｅノードＢは、ＰＤＳＣＨ干渉除去を支援するために協調させられる。協調は、スケジューラによるリソースの割り当て、送信フォーマットの選択、空間協調、電力制御の形態であるか、または他の技法によるものであり得る。本開示の別の態様では、システムのスループットは、ＰＤＳＣＨ干渉除去をイネーブルにすることによりリソース再利用係数を増加させることによって、改善され得る。たとえば、異種ネットワークリソース分割のコンテキストにおいて、ＡＵ／ＡＮサブフレームは、ＡＣ／ＡＣサブフレームに変換されることができる。ＰＤＳＣＨ干渉除去を支援するためのｅノードＢ協調のための特定の方法が以下に説明される。
【００６１】
スケジューリング協調
[0070]  干渉除去パフォーマンスを改善する１つの方法は、ｅノードＢの一部でのスケジューリング協調によるものである。この態様では、攻撃者と被害者のｅノードＢのスケジューラは、被害者セルがそのＵＥをスケジューリングするリソース（たとえば、リソースブロック／サブフレーム）で、（ｉ）所与の被害者セルのＵＥが、ＰＤＳＣＨ干渉除去の能力があり、攻撃者からの「強い」干渉（すなわち、成功したＰＤＳＣＨ干渉除去をサポートするに足るほど強い干渉）を見るか、または（ｉｉ）所与の被害者セルのＵＥが、攻撃者からの「弱い」干渉（すなわち、通信パフォーマンスがＰＤＳＣＨ干渉除去なしで満足するに足るほど弱い干渉）を見るか、のいずれかであるように、通信を協調させる。このように、協調スケジューリングは、「適度な干渉」レベル（すなわち、ＵＥのパフォーマンスを乱すに足るほどなおも強いので、回避／低減／除去に値するが、ＰＤＳＣＨ干渉除去によって確実に除去されることはできないほど弱い干渉レベル）を回避することができる。本開示において、「強い」、「適度な」、および「弱い」干渉という用語は、上に定義したように使用される。
【００６２】
[0071]  そのようなスケジューリング協調の一例は、マクロセルの送信がそうでなければＰＤＳＣＨ干渉除去がない場合に許可されていなかったであろうリソース（たとえば、リソースブロック／サブフレーム）（すなわち、マクロセルのＮおよびＡＮサブフレーム）でのマクロセルによるマクロＵＥの便宜主義的なスケジューリングである。この手法でマクロＵＥをスケジューリングするために、マクロカバレッジエリアにおいてピコセルによってサービスされているＵＥ（ピコＵＥ）は、（ｉ）ＰＤＳＣＨ干渉除去の能力があり、ＰＤＳＣＨ干渉除去を成功裏に実行するに足るほど強いマクロセルからの干渉（マクロ干渉）を見るか、または（ｉｉ）通信パフォーマンスがＰＤＳＣＨ干渉除去なしで満足するようなマクロセルからの弱い干渉を見るか、のいずれかであろう。
【００６３】
[0072]  別の例は、そのようなピコＵＥのスケジューリングがそうでなければＰＤＳＣＨ干渉除去がない場合に不可能だったであろうリソースでのピコセルによるピコＵＥの便宜主義的なスケジューリングである。ＰＤＳＣＨ干渉除去がなければ、セル範囲拡張（cell range expansion）（ＣＲＥ）エリアにおけるピコＵＥは普通、強いマクロ干渉により、Ｎ、ＡＮ、およびＡＣサブフレームでスケジューリングされることができない。しかしながら、ＰＤＳＣＨ干渉除去を用いると、ＰＤＳＣＨ干渉除去の能力があり、ＰＤＳＣＨ干渉除去を成功裏に実行するに足るほど強いマクロ干渉を見るそれらのＣＲＥピコＵＥは、それらのサブフレームでもスケジューリングされることができる。これは、ピコセルのいくつかのＮおよびＡＮサブフレームをＣ／ＡＣサブフレームに変換することを可能にし得る。それらの共有サブフレームで、ピコセルは、（ｉ）ＰＤＳＣＨ干渉除去に足るほど強いマクロ干渉を見るそれらのセル範囲拡張（ＣＲＥ）ピコＵＥ、および（ｉｉ）マクロセルからの弱い干渉を見るピコＵＥに、サービス提供する。
【００６４】
[0073]  便宜主義的なスケジューリングの説明図が図６Ａに示される。ピコセル６０２は、ピコＵＥ６０４、６０６、および６０８にサービス提供する。マクロセル６１０は、マクロＵＥ６１２および６１４にサービス提供する。ピコＵＥ１ ６０４は、ＰＤＳＣＨ干渉除去の能力があり、マクロセル６１０からの強いマクロ干渉を見るであろうし、ピコＵＥ２ ６０６は、ＰＤＳＣＨ干渉除去の能力があるが、ピコセルにより近いので適度なマクロ干渉を見、ピコＵＥ３ ６０８は、適度なまたは強いマクロ干渉を見るであろうが、ＰＤＳＣＨ干渉除去の能力がない。便宜主義的なマクロスケジューリングのケースでは、ピコセル６０２が、リソースブロック１（サブフレーム１）でピコＵＥ１ ６０４に、リソースブロック２（サブフレーム２）でピコＵＥ２ ６０６に、リソースブロック３（サブフレーム３）でピコＵＥ３ ６０８に、サービス提供している場合、マクロセル６１０は、リソースブロック１でそのマクロＵＥ６１２および６１４にサービス提供し得るが、リソースブロック２または３ではしない。便宜主義的なピコスケジューリングのケースでは、マクロセル６１０が、ある特定のリソースブロック（またはサブフレーム）でそのＵＥ６１２および６１４にサービス提供している場合、ピコセル６０２は、マクロセルのリソース（サブフレーム）でピコＵＥ１ ６０４にサービス提供し得る。
【００６５】
[0074]  マクロセルによる使用のためのリソースは、動的に（すなわち、スケジューリング決定毎に）または半静的に決定され得る。半静的にリソースを予約する（set aside）ための１つの手法は、各ピコセルが、それに関連づけする複数のＵＥの中から、強い干渉者としてマクロセルを見る一部を識別することであろう。各ピコセルは次に、この一部をマクロセルに知らせ、マクロセルは、どれほど多くのリソースを半静的に予約（reserve）すべきかを決定する。
【００６６】
送信フォーマット／スキームの協調
[0075]  干渉除去パフォーマンスを改善する別の方法は、ｅノードＢの一部での送信フォーマット／スキームの協調によるものである。この態様では、攻撃者マクロセルは、被害者ＵＥによるＰＤＳＣＨ干渉除去を支援するために既知の送信フォーマットを選択することができる（たとえば、特定の限られた数または互いに協調させられたＭＣＳのみが共有リソース上で使用され得る）。この協調は、ＰＤＳＣＨ干渉除去のために使用される情報（たとえば、ＭＣＳ、空間スキーム、等）を得ようとする、またはブラインド推定しようとする被害者ＵＥの試みを減じることができる。このように、マクロセルは、ＵＥによるＰＤＳＣＨ干渉除去を補助するであろう通信フォーマット（たとえば、ＱＰＳＫ変調または別の協調変調スキーム）を選択し得る。あるいは、マクロセルは、近くのピコまたはフェムトセルと通信フォーマットの選択を協調させることができる。たとえば、図６Ｂでは、ピコＵＥ２ ６０６は干渉除去の能力があるが、マクロセル６１０からの適度な干渉を見ていて、マクロセル６１０は、ピコＵＥ２ ６０６が干渉除去を実行するのを支援するために、リソース２のためにＱＰＳＫ変調フォーマットを選択し得る。
【００６７】
[0076]  そのような送信フォーマット／スキームの協調の例は、マクロセルが、ピコＵＥがＰＤＳＣＨ干渉除去を実行するリソースでＱＰＳＫ変調を常に使用することを含む。たとえば、図６Ｂを再び参照すると、ＱＰＳＫはまた、ピコＵＥ１ ６０４に干渉除去の能力があるで、リソース１でのマクロセルの変調フォーマットとしても選択されることができる。他の変調フォーマット、たとえば、６４ＱＡＭが、リソース０のような他のリソースのために選択されることができる。リソース０はマクロセルによって使用され、ピコセルによって使用されないので、任意の変調フォーマットまたは空間スキームが、ピコＵＥへの干渉の懸念なしにマクロセルによって使用されることができる。シンボルレベルＰＤＳＣＨ干渉除去を実行するピコＵＥは、干渉するＰＤＣＣＨを復号する必要なしに、干渉するＰＤＳＣＨの変調次数（modulation order）の減じられた不確実性を有する。ＱＰＳＫはまた一般的に、ＵＥのための干渉除去を容易化する。リソースが半静的に予約される場合、これらのリソースのサブセットは、ＱＰＳＫのために予約されることができ、補完サブセットが、より高次の変調（higher order modulation）のために予約される。たとえば、図６Ｂを参照すると、リソース０は、リソース１および２が上述したようにＱＰＳＫのために予約される場合、リソース０を使用するピコＵＥがないことに起因して、より高次の変調のために使用されることができる。
【００６８】
[0077]  別の例において、複数の送信アンテナを有するマクロセルは、適用可能な場合、ピコＵＥがＰＤＳＣＨ干渉除去を実行するリソースで、既知の空間スキーム、たとえば、空間周波数ブロックコーディング（space-frequency block coding）（ＳＦＢＣ）、および既知のランクおよびプリコーディングマトリクス情報（precoding matrix information）（ＰＭＩ）を選択することができる。したがって、シンボルレベルＰＤＳＣＨ干渉除去を実行するピコＵＥは、干渉するＰＤＣＣＨを復号する必要なしに、干渉するＰＤＳＣＨの空間スキームにおける減じられた不確実性を有する。たとえば、図６Ｂに示すように、ピコＵＥ１ ６０４およびピコＵＥ２ ６０６に干渉除去を実行する能力があるので、ＳＦＢＣが、リソース１および２のためにマクロセルにより空間スキームとして選択され得る。
【００６９】
[0078]  別の例において、マクロセルは、ピコＵＥがＰＤＳＣＨ干渉除去を実行するリソースで、ある特定の変調およびコーディングフォーマット（ＭＣＳ）、たとえば、ＭＣＳ ０を選択し得る。したがって、コードワードレベルＰＤＳＣＨ干渉除去を実行するピコＵＥは、干渉するＰＤＣＣＨを復号する必要なしに、干渉するＰＤＳＣＨの変調フォーマットにおける減じられた不確実性を有する。ＭＣＳ ０の使用はまた、コードワードレベルＰＤＳＣＨ干渉除去パフォーマンスを改善する。
【００７０】
[0079]  別の例において、マクロセルは、ピコＵＥがＰＤＳＣＨ干渉除去を実行するリソースで既知のトラヒック対パイロット比（ＴＰＲ）を使用し得る。したがって、シンボルレベルまたはコードワードレベルのＰＤＳＣＨ干渉除去を実行するピコＵＥは、干渉するＰＤＳＣＨの送信電力レベルにおける減じられた不確実性を有する。
【００７１】
空間協調
[0080]  干渉除去パフォーマンスを改善する別の方法は、協調マルチポイント（ＣｏＭＰ）システムにおける空間協調によるものである。この態様において、攻撃者マクロセルは、被害者ＵＥによるＰＤＳＣＨ干渉除去を支援するために、そのＣｏＭＰスキームおよび／またはビーム方向を協調させ／調節することができる。
【００７２】
[0081]  １つの構成において、マクロセルは、ＣＲＥピコＵＥにもたらされる干渉が回避されるか強化されるかのいずれかであるように、ビームを形成する。たとえば、所与のマクロセルにおけるＸ個のピコＵＥに対し、マクロｅノードＢは、セル範囲拡張（ＣＲＥ）ピコＵＥ（ＰＤＳＣＨ干渉除去の能力があるべきである）のうちの１つに対する干渉が「強い」レベルまでブーストされるように、協調ビームフォーミングを使用し得る。残りのＸ−１個のセル範囲拡張（ＣＲＥ）ピコＵＥ（ＰＤＳＣＨ干渉除去の能力を有していても有していなくてもよい）に対する干渉は、「弱い」レベルに抑制される。
【００７３】
電力制御
[0082]  干渉除去パフォーマンスを改善する別の方法は、ｅノードＢによる電力制御調節によるものである。この態様において、攻撃者マクロセルは、被害者ＵＥによるＰＤＳＣＨ干渉除去を支援するために、それの時間／周波数リソースにわたるそれの送信電力を調節することができる。すなわち、マクロセルは、ピコＵＥがＰＤＳＣＨ干渉除去を実行するリソースでそれの送信電力をブーストし得る一方で、マクロセルは、他ではそれの送信電力を減じる（またはそれ自身を沈黙させる）ことができる。たとえば、図６Ａのシナリオを参照すると、ピコＵＥ２ ６０６は、干渉除去の能力があるが、マクロセル６１０からの適度な干渉を見ており、マクロセル６１０は、（ピコセル６０２と通信するためにピコＵＥ２ ６０６によって使用される）リソース２でそれの送信電力をブーストすることによって、ピコＵＥ２ ６０６への干渉を増加させ、干渉除去を実行するためのそれの能力を改善することができる。別の例では、図６Ａのシナリオを再び参照すると、マクロセル６１０は、ピコＵＥ２ ６０６への干渉を減じるために、リソース２でそれの送信電力を減じることができる。そのような電力制御方法はまた、上りリンク通信中にも適用されることができる。
【００７４】
[0083]   ｅノードＢによるネットワーク協調は、Ｘ２、ファイバー、等の、ｅノードＢを接続する任意のリンクによることができる。上述した例はＬＴＥネットワークの例を使用し得るが、上述した方法は、ＬＴＥシステムに限定されず、他の通信ネットワークとともに使用されることもできる。また、上述した例は、ＰＤＳＣＨ干渉除去のために与えられ得るが、上述した方法は、他の形態の干渉除去（たとえば、ＰＤＣＣＨ干渉除去、等）のために適用可能であり得る。さらに、上述した例は、時間領域リソース分割の下であり得るが、上述した方法は、より一般的なシナリオに適用可能である。同様に、マクロ／ピコネットワークが上述した例を示すために説明されているが、本方法は、他のネットワーク構成（たとえば、フェムトセル、リモート無線ヘッド（ＲＲＨ）、等）にも適用可能である。
【００７５】
[0084]  図７は、ｅノードＢが１つ以上の被害者ＵＥのための干渉を調節するために別のｅノードＢと協調し得る方法を示す。
【００７６】
[0085]  ブロック７０２において、被害者ＵＥが隣接基地局からの干渉を経験していることが決定される。この決定は、隣接基地局によって、またはサービス提供基地局によって実行されることができる。被害者ＵＥは、経験した干渉のインジケーションをそのサービス提供基地局に送信し得る。サービス提供基地局は次に、図４に示すＸ−２インターフェース４４１のようなバックホール通信チャネルによって、または他のチャネルによって、隣接基地局にそのインジケーションを送信し得る。
【００７７】
[0086]  図７のブロック７０４において、干渉除去（ＩＣ）を実行するための被害者ＵＥの能力が決定される。この決定は、隣接基地局によって、またはサービス提供基地局によって実行されることができる。被害者ＵＥからサービス提供基地局へのインジケーションは、干渉除去を実行するための被害者ＵＥの能力に関する情報を含み得る。この情報は、被害者ＵＥが本当に干渉除去を実行することができるかどうか、ならびに、ＵＥの干渉除去の努力が、ある特定の通信環境下で、および／または、ある特定の通信リソースのために、どれほど有効かに関する詳細情報、を含み得る。
【００７８】
[0087]  ブロック７０６において、隣接基地局およびサービス提供基地局は、被害者ＵＥへの干渉を調節するように協調することができる。干渉のインジケーションの通信による場合、隣接基地局およびサービス提供基地局は、図４に示すＸ−２インターフェース４４１のようなバックホール通信チャネルによって、または他のチャネルによって、干渉調節を協調させることができる。
【００７９】
[0088]  （図７のブロック７０８において決定されたときに）ＵＥに干渉除去を実行する能力がない場合には、隣接基地局およびサービス提供基地局は、ブロック７１２に示すように、被害者ＵＥへの干渉を減少させるように協調する。干渉は、上述したように減少させられることができる。たとえば、被害者ＵＥへの干渉を減少させることは、隣接基地局とサービス提供基地局との間で通信リソースを再割り当てし、両方の基地局が被害者ＵＥへの干渉をもたらすようにリソースを使用することを回避することを含み得る。干渉を減少させることはまた、干渉を減じるために、被害者ＵＥから遠ざけるように隣接基地局によってビームフォーミングすることを含み得る。干渉を減少させることはまた、干渉を減じるために、隣接の下りリンク通信の電力レベルを調節することを含み得る。干渉を減少させることはまた、被害者ＵＥの通信を、干渉を受ける可能性がより少ないリソースブロックに向けることを含み得る。干渉を減少させるための他の技法もまた使用されることができる。干渉は、動的または半静的に減少させられることができる。
【００８０】
[0089]  （図７のブロック７０８において決定されたときに）ＵＥに干渉除去を実行する能力がある場合には、隣接基地局およびサービス提供基地局は、ブロック７１０に示すように、被害者ＵＥへの干渉を調節するように協調し、既知の送信フォーマットを選択することができる。被害者ＵＥへの干渉は、干渉を減少させるように調節され得るか、または干渉除去を実行するための被害者ＵＥの能力を改善するよう干渉を増加させるように調節され得る。干渉は、動的または半静的に調節されることができる。干渉は上述されたように調節されることができる。たとえば、干渉の調節は、被害者ＵＥへの干渉を増加させるか減少させるかのいずれかのために、隣接基地局とサービス提供基地局との間で通信リソースを再割り当てすることを含み得る。協調させられたビームフォーミングが、被害者ＵＥへの干渉を増加または減少させ得る。下りリンク通信の電力レベルが、被害者ＵＥへの干渉を増加または減少させるように調節されることができる。干渉を調節することはまた、被害者ＵＥの通信を、干渉を受ける可能性がより多いまたはより少ないリソースブロックに向けることを含み得る。
【００８１】
[0090]  既知の送信フォーマットが、上述したように選択されることができる。既知の送信フォーマットが、被害者ＵＥによる干渉除去を補助するように選択されることができる。既知の送信フォーマットが、被害者ＵＥのトラヒック対パイロット比に基づいて選択されることができる。既知の送信フォーマットは、既知の空間スキーム、たとえば、空間周波数ブロックコーディング（ＳＦＢＣ）、および／または既知のランクおよびプリコーディングマトリクス情報（ＰＭＩ）であることができる。既知の送信フォーマットは、既知の変調次数、たとえば、ＱＰＳＫであることができる。
【００８２】
[0091]  図８は、例示的な装置８０１における異なるモジュール／手段／コンポーネント間のデータの流れを示す概念的なデータ流れ図８００である。装置８０１は、アンテナ（または他の外部通信デバイス）８５４から通信を受信するモジュール８０２を含む。通信は、ＵＥまたはｅノードＢからのメッセージを含み得る。このメッセージは、インジケータを含むことができ、それは、テーブルエントリ、ビットフラグ、データ構造、または、他のインジケータであることができ、それは、干渉を経験するＵＥの干渉除去を実行するための能力を示す。このインジケータは、受信モジュール８０２から決定モジュール８０４に渡される。決定モジュール８０４は、被害者ＵＥが干渉を経験しているかどうか、およびＵＥに干渉除去の能力があるかどうかを決定するために、そのインジケータを読み取る。決定モジュール８０４は次に、被害者ＵＥおよび干渉除去を実行するためのそれの能力を識別するデータフィールドを含むデータを協調モジュール８０６に渡す。決定モジュール８０４はまた、被害者ＵＥのサービス提供基地局、被害者ＵＥに干渉をもたらす隣接基地局、および／または、ユーザによって経験される干渉のレベルを調節するために指定された動作を識別するデータを協調モジュール８０６に渡し得る。協調モジュール８０６は次に、調節スキーム、隣接基地局、等を含むデータを、通信デバイス８５４による適切なＵＥ（単数または複数）および／または基地局（単数または複数）への送信のために、送信モジュール８１４に渡す。
【００８３】
[0092]  装置８０１は、図７における上述したフローチャートにおける処理のブロックの各々を実行する追加のモジュールを含むことができる。したがって、図７における上述したフローチャートにおける各ブロックはモジュールによって実行されることができ、その装置は、それらのモジュールのうちの１つ以上を含むことができる。モジュールは、説明された処理を実行するように特に構成されるか、説明された処理を実行するように構成されたプロセッサによって実現されるか、プロセッサによる実現のためにコンピュータ読み取り可能な媒体内に記憶されるか、またはそれらの何らかの組み合わせである、１つ以上のハードウェアコンポーネントであることができる。
【００８４】
[0093]  図９は、処理システム９１４を用いる装置８０１’のためのハードウェア実装の例を示す図である。処理システム９１４は、バス９２４によって一般的に表されたバスアーキテクチャを用いて実現されることができる。バス９２４は、処理システム９１４の特定の用途と全体的な設計の制約に依存して、任意の数の相互接続バスおよびブリッジを含むことができる。バス９２４は、プロセッサ９０４、モジュール８０２および８０４、およびコンピュータ読み取り可能な媒体９０６によって表された、１つ以上のプロセッサおよび／またはハードウェアモジュールを含むさまざまな回路をともにリンクさせる。バス９２４はまた、タイミングソース、周辺機器、電圧レギュレータ、および電力管理回路、といったさまざまな他の回路をリンクさせることもできるが、これらは、当該技術でよく知られているので、これ以上説明しない。
【００８５】
[0094]  処理システム９１４は、トランシーバ９１０に結合され得る。トランシーバ９１０は、１つ以上のアンテナ９２０に結合される。トランシーバ９１０は、伝送媒体を介してさまざまな他の装置と通信するための手段を提供する。処理システム９１４は、コンピュータ読み取り可能な媒体９０６に結合されたプロセッサ９０４を含む。プロセッサ９０４は、コンピュータ読み取り可能な媒体９０６に記憶されたソフトウェアの実行を含む、一般的な処理を担う。ソフトウェアは、プロセッサ９０４によって実行されると、処理システム９１４に、任意の特定の装置に関し前述されたさまざまな機能を実行させる。コンピュータ読取可能な媒体９０６はまた、ソフトウェアを実行する際にプロセッサ９０４によって操作されるデータを記憶するために使用されることもできる。処理システムはさらに、モジュール８０２および８０４のうちの少なくとも１つを含む。モジュールは、プロセッサ９０４において走行し、コンピュータ読み取り可能な媒体９０６に存在し／記憶されたソフトウェアモジュール、プロセッサ９０４に結合された１つ以上のハードウェアモジュール、またはそれらの何らかの組み合わせであることができる。処理システム９１４は、ｅノードＢ１１０のコンポーネントであることができ、メモリ４４２、および／または、送信プロセッサ４２０、受信プロセッサ４３８、およびコントローラ／プロセッサ４４０のうちの少なくとも１つ、を含むことができる。
【００８６】
[0095]  １つの構成において、ワイヤレス通信のための装置１０２／８０１’は、決定する手段および協調する手段を含む。上記手段は、装置８０１の上述したモジュール、および／または、上記手段によって記載された機能を実行するように構成された装置８０１’の処理システム９１４、のうちの１つ以上であることができる。上述したように、処理システム９１４は、メモリ４４２、および／または、送信プロセッサ４２０、受信プロセッサ４３８、アンテナ４３４、スケジューラ４４４、Ｘ−２インターフェース４４１、およびコントローラ／プロセッサ４４０のうちの少なくとも１つ、を含み得る。別の態様において、上記手段は、上記手段によって記載された機能を実行するように構成された任意のモジュールまたは任意の装置であることができる。
【００８７】
[0096]  当業者はさらに、本明細書における開示に関連して説明されたさまざまな例示的な論理ブロック、モジュール、回路、およびアルゴリズムステップが、電子ハードウェア、コンピュータソフトウェア、または両者の組み合わせとして実現され得る、ということを理解するだろう。ハードウェアとソフトウェアとのこの互換性を明確に説明するために、さまざまな例示的なコンポーネント、ブロック、モジュール、回路、およびステップが、それらの機能の観点で一般的に上述されている。そのような機能がハードウェアとして実現されるかソフトウェアとして実現されるかは、システム全体に課された設計の制約および特定の用途に依存する。当業者は、説明された機能を、特定の用途ごとに異なる手法で実現することができるが、そのような実現の決定は、本開示の範囲からの逸脱を生じるものとして解釈されるべきではない。
【００８８】
[0097]  本明細書における開示に関連して説明されたさまざまな例示的な論理ブロック、モジュール、および回路は、本明細書において説明された機能を実行するように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実現または実行されることができる。汎用プロセッサは、マイクロプロセッサであることができるが、その代わりに、プロセッサは、任意の従来のプロセッサ、コントローラ、マイクロコントローラ、またはステートマシンであることができる。プロセッサはまた、コンピューティングデバイスの組み合わせ、たとえば、ＤＳＰとマイクロプロセッサとの組み合わせ、複数のマイクロプロセッサ、ＤＳＰコアと結合された１つ以上のマイクロプロセッサ、または任意の他のそのような構成として、実現されることもできる。
【００８９】
[0098]  本明細書における開示に関連して説明された方法またはアルゴリズムのステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体の中に存在することができる。例示的な記憶媒体は、プロセッサが記憶媒体から情報を読み取り、記憶媒体に情報を書き込むことができるように、プロセッサに結合される。あるいは、記憶媒体は、プロセッサに組み込まれることができる。プロセッサおよび記憶媒体は、ＡＳＩＣ内に存在することができる。ＡＳＩＣは、ユーザ端末内に存在することができる。あるいは、プロセッサおよび記憶媒体は、ユーザ端末内の離散コンポーネントとして存在することができる。
【００９０】
[0099]  １つ以上の例示的な設計において、説明された機能は、ハードウェア、ソフトウェア、ファームウェア、またはそれらの任意の組み合わせで実現されることができる。ソフトウェアで実現される場合、その機能は、コンピュータ読み取り可能な媒体において、１つ以上の命令またはコードとして、記憶または伝送されることができる。コンピュータ読み取り可能な媒体は、ある場所から別の場所へのコンピュータプログラムの転送を容易にする任意の媒体を含む通信媒体とコンピュータ記憶媒体の両方を含む。記憶媒体は、汎用または専用コンピュータによってアクセスされることができる任意の入手可能な媒体であることができる。限定ではなく例として、そのようなコンピュータ読み取り可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または記憶するために使用されることができ、かつ、汎用または専用コンピュータ、または汎用または専用プロセッサによってアクセスされることができる任意の他の媒体を備え得る。また、任意の接続は、コンピュータ読み取り可能な媒体と適切に称される。たとえば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して伝送される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書において使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は普通、磁気的にデータを再生するが、ディスク（disc）は、レーザーを用いて光学的にデータを再生する。上述したものの組み合わせもまた、コンピュータ読み取り可能な媒体の範囲内に含まれるべきである。
【００９１】
[0100]  本開示の先の説明は、本開示を製造または使用することをいずれの当業者にも可能にさせるために提供される。本開示に対するさまざまな変更は、当業者に容易に理解され、本明細書において定義された一般的な原理は、本開示の精神または範囲から逸脱せずに、他の変形例に適用されることができる。したがって、本開示は、本明細書において説明された例および設計に限定されることは意図せず、本明細書に開示された原理および新規な特徴と一致する最も広い範囲が付与されるべきである。
なお、本願の出願当初の請求項と同一の記載を以下に付記する。
［Ｃ１］ ワイヤレス通信の方法であって、
被害者ユーザ機器（ＵＥ）が隣接基地局からの干渉を経験していると決定することと、
干渉除去を実行するための前記被害者ユーザ機器の能力を決定することと、
前記被害者ユーザ機器によって経験される干渉のレベルを調節するようにサービス提供基地局と協調することと
を備え、前記被害者ユーザ機器に干渉除去の能力がある場合、前記サービス提供基地局と前記協調することは、前記被害者ユーザ機器によって経験される干渉の前記レベルを調節することと、既知の送信フォーマットを選択することと、のうちの少なくとも１つを備え、
前記被害者ユーザ機器に干渉除去の能力がない場合、前記サービス提供基地局と前記協調することは、前記被害者ユーザ機器への干渉を減少させるように協調することを備える、方法。
［Ｃ２］ 前記被害者ユーザ機器によって経験される干渉の前記レベルを調節することは、前記隣接基地局と前記サービス提供基地局との間でリソースを再割り当てすることを備える、Ｃ１に記載の方法。
［Ｃ３］ 前記被害者ユーザ機器への干渉の前記レベルを調節することは、前記干渉を除去するための前記被害者ユーザ機器の前記能力を改善するか、または干渉を減少させるか、のいずれかのために、ビームフォーミングを協調させることを備える、Ｃ１に記載の方法。
［Ｃ４］ ビームフォーミングを協調させることは、前記被害者ユーザ機器に干渉除去の能力がある場合、干渉除去を実行するための前記被害者ユーザ機器の前記能力を改善するために、前記被害者ユーザ機器にビームフォーミングすることを備える、Ｃ３に記載の方法。
［Ｃ５］ ビームフォーミングを協調させることは、前記被害者ユーザ機器に干渉除去の能力がない場合、前記被害者ユーザ機器から遠ざけるようにビームフォーミングすることを備える、Ｃ３に記載の方法。
［Ｃ６］ 前記被害者ユーザ機器への干渉の前記レベルを調節することは、前記干渉を除去するための前記被害者ユーザ機器の前記能力を改善するか、または干渉を減少させるか、のいずれかのために、下りリンク通信の電力レベルを調節することを備える、Ｃ１に記載の方法。
［Ｃ７］ 下りリンク通信の前記電力レベルを調節することは、干渉除去を実行するための前記被害者ユーザ機器の前記能力に少なくとも部分的に基づいて、干渉除去を実行するための前記被害者ユーザ機器の前記能力を改善するために、前記被害者ユーザ機器への干渉を増加させることを備える、Ｃ６に記載の方法。
［Ｃ８］ 下りリンク通信の前記電力レベルを調節することは、前記被害者ユーザ機器への干渉を減少させることを備える、Ｃ６に記載の方法。
［Ｃ９］ 前記電力レベルを調節することは、下りリンク通信の電力を減じることを備える、Ｃ８に記載の方法。
［Ｃ１０］ 前記サービス提供基地局と前記協調することは、動的または半静的に行われる、Ｃ１に記載の方法。
［Ｃ１１］ 前記既知の送信フォーマットは、干渉除去を実行するために前記被害者ユーザ機器に通信される、Ｃ１に記載の方法。
［Ｃ１２］ 前記既知の送信フォーマットは、干渉除去を実行するための前記被害者ユーザ機器の前記能力を改善するように選択される、Ｃ１に記載の方法。
［Ｃ１３］ 前記既知の送信フォーマットは、前記被害者ユーザ機器に通信される、Ｃ１に記載の方法。
［Ｃ１４］ 前記既知の送信フォーマットは、空間スキームを備える、Ｃ１に記載の方法。
［Ｃ１５］
前記空間スキームは、空間周波数ブロックコーディングである、Ｃ１４に記載の方法。
［Ｃ１６］ 前記既知の送信フォーマットは、変調次数を備える、Ｃ１に記載の方法。
［Ｃ１７］ 前記変調次数は、４相位相シフト・キーイングである、Ｃ１６に記載の方法。
［Ｃ１８］ 前記既知の送信フォーマットは、トラヒック対パイロット比を備える、Ｃ１６に記載の方法。
［Ｃ１９］ 干渉の前記レベルを調節することは、前記被害者ユーザ機器へのより高い干渉という結果をもたらすリソースブロックを使用して通信するよう前記被害者ユーザ機器をスケジューリングすることを備える、Ｃ１に記載の方法。
［Ｃ２０］ ワイヤレス通信のための装置であって、
被害者ユーザ機器（ＵＥ）が隣接基地局からの干渉を経験していると決定する手段と、
干渉除去を実行するための前記被害者ユーザ機器の能力を決定する手段と、
前記被害者ユーザ機器によって経験される干渉のレベルを調節するようにサービス提供基地局と協調する手段と
を備え、前記被害者ユーザ機器に干渉除去の能力がある場合、前記サービス提供基地局と協調する前記手段は、前記被害者ユーザ機器によって経験される干渉の前記レベルを調節する手段と、既知の送信フォーマットを選択する手段と、のうちの少なくとも１つを備え、
前記被害者ユーザ機器に干渉除去の能力がない場合、前記サービス提供基地局と協調する前記手段は、前記被害者ユーザ機器への干渉を減少させるように協調する手段を備える、装置。
［Ｃ２１］ ワイヤレス通信のためのコンピュータプログラム製品であって、前記コンピュータプログラム製品は、
プログラムコードが記録された非一時的なコンピュータ読み取り可能な媒体を備え、前記プログラムコードは、
被害者ユーザ機器（ＵＥ）が隣接基地局からの干渉を経験していると決定するためのプログラムコードと、
干渉除去を実行するための前記被害者ユーザ機器の能力を決定するためのプログラムコードと、
前記被害者ユーザ機器によって経験される干渉のレベルを調節するようにサービス提供基地局と協調するためのプログラムコードと
を備え、前記被害者ユーザ機器に干渉除去の能力がある場合、前記サービス提供基地局と協調するための前記プログラムコードは、前記被害者ユーザ機器によって経験される干渉の前記レベルを調節するためのプログラムコードと、既知の送信フォーマットを選択するためのプログラムコードと、のうちの少なくとも１つを備え、
前記被害者ユーザ機器に干渉除去の能力がない場合、前記サービス提供基地局と協調するための前記プログラムコードは、前記被害者ユーザ機器への干渉を減少させるように協調するためのプログラムコードを備える、コンピュータプログラム製品。
［Ｃ２２］ ワイヤレス通信のための装置であって、
メモリと、
前記メモリに結合された少なくとも１つのプロセッサであって、
被害者ユーザ機器（ＵＥ）が隣接基地局からの干渉を経験していると決定し、
干渉除去を実行するための前記被害者ユーザ機器の能力を決定し、
前記被害者ユーザ機器によって経験される干渉のレベルを調節するようにサービス提供基地局と協調する
ように構成された少なくとも１つのプロセッサと
を備え、前記被害者ユーザ機器に干渉除去の能力がある場合、前記サービス提供基地局と協調するように構成された前記少なくとも１つのプロセッサは、前記被害者ユーザ機器によって経験される干渉の前記レベルを調節するように構成された前記少なくとも１つのプロセッサと、既知の送信フォーマットを選択するように構成された前記少なくとも１つのプロセッサと、のうちの少なくとも１つを備え、
前記被害者ユーザ機器に干渉除去の能力がない場合、前記サービス提供基地局と協調するように構成された前記少なくとも１つのプロセッサは、前記被害者ユーザ機器への干渉を減少させるように協調するように構成された前記少なくとも１つのプロセッサを備える、装置。
［Ｃ２３］ 前記少なくとも１つのプロセッサは、前記隣接基地局と前記サービス提供基地局との間でリソースを再割り当てするように構成することによって、前記被害者ユーザ機器によって経験される干渉の前記レベルを調節するように構成される、Ｃ２２に記載の装置。
［Ｃ２４］ 前記少なくとも１つのプロセッサは、前記干渉を除去するための前記被害者ユーザ機器の前記能力を改善するか、または干渉を減少させるか、のいずれかのために、ビームフォーミングを協調させることによって、前記被害者ユーザ機器への干渉の前記レベルを調節するように構成される、Ｃ２２に記載の装置。
［Ｃ２５］ 前記少なくとも１つのプロセッサは、前記被害者ユーザ機器に干渉除去の能力がある場合、干渉除去を実行するための前記被害者ユーザ機器の前記能力を改善するために、前記被害者ユーザ機器へのビームフォーミングを協調させるように構成される、Ｃ２４に記載の装置。
［Ｃ２６］ 前記少なくとも１つのプロセッサは、前記被害者ユーザ機器に干渉除去の能力がない場合、前記被害者ユーザ機器から遠ざけるようにビームフォーミングを協調させるように構成される、Ｃ２４に記載の装置。
［Ｃ２７］ 前記少なくとも１つのプロセッサは、前記干渉を除去するための前記被害者ユーザ機器の前記能力を改善するか、または干渉を減少させるか、のいずれかのために、下りリンク通信の電力レベルを調節することによって、前記被害者ユーザ機器への干渉の前記レベルを調節するように構成される、Ｃ２２に記載の装置。
［Ｃ２８］ 前記少なくとも１つのプロセッサは、干渉除去を実行するための前記被害者ユーザ機器の前記能力に少なくとも部分的に基づいて、干渉除去を実行するための前記被害者ユーザ機器の前記能力を改善するために、前記被害者ユーザ機器への干渉を増加させることによって、下りリンク通信の前記電力レベルを調節するように構成される、Ｃ２７に記載の装置。
［Ｃ２９］ 前記少なくとも１つのプロセッサは、前記被害者ユーザ機器への干渉を減少させることによって、下りリンク通信の前記電力レベルを調節するように構成される、Ｃ２７に記載の装置。
［Ｃ３０］ 前記少なくとも１つのプロセッサは、下りリンク通信の電力を減じることによって前記電力レベルを調節するように構成される、Ｃ２９に記載の装置。
［Ｃ３１］ 前記少なくとも１つのプロセッサは、動的または半静的に前記サービス提供基地局と協調するように構成される、Ｃ２２に記載の装置。
［Ｃ３２］ 前記既知のフォーマットは、空間スキームを備える、Ｃ２２に記載の装置。
［Ｃ３３］ 前記空間スキームは、空間周波数ブロックコーディングである、Ｃ３２に記載の装置。
［Ｃ３４］ 前記既知の送信フォーマットは、変調次数を備える、Ｃ２２に記載の装置。
［Ｃ３５］ 前記変調次数は、４相位相シフト・キーイングである、Ｃ３４に記載の装置。
［Ｃ３６］ 前記既知の送信フォーマットは、トラヒック対パイロット比を備える、Ｃ３４に記載の装置。
［Ｃ３７］ 前記少なくとも１つのプロセッサは、前記被害者ユーザ機器へのより高い干渉という結果をもたらすリソースブロックを使用して通信するよう前記被害者ユーザ機器をスケジューリングすることによって、干渉の前記レベルを調節するように構成される、Ｃ２２に記載の装置。
【図１】
0006017561.tif 000002
【図２】
0006017561.tif 000003
【図３】
0006017561.tif 000004
【図４】
0006017561.tif 000005
【図５】
0006017561.tif 000006
【図６Ａ】
0006017561.tif 000007
【図６Ｂ】
0006017561.tif 000008
【図７】
0006017561.tif 000009
【図８】
0006017561.tif 000010
【図９】
0006017561.tif 000011